(57)【要約】【課題】発光素子を所望の明るさで点灯するとともに、発光素子が意図せずに微少に点灯することを抑制可能な表示装置を提供する。【解決手段】複数の共通ラインと、複数の駆動ラインと、前記複数の共通ラインと前記複数の駆動ラインとに接続される複数の発光素子と、前記複数の共通ラインに時分割で電圧を印加するソースドライバと、前記複数の共通ラインの電圧印加期間内に前記複数の駆動ラインのうち点灯対象となる発光素子に接続された駆動ラインから電流を引き込むシンクドライバと、を備えた表示装置であって、前記駆動ラインは、共通ラインの非電圧印加期間のうち、前記シンクドライバにより電流が引き込まれる電圧印加期間の直前の非電圧印加期間内には放電部に接続され、前記シンクドライバにより電流が引き込まれない電圧印加期間の直前の非電圧印加期間内には電圧供給部に接続される表示装置である。【選択図】図１
2014235305.tif 000002
【特許請求の範囲】
【請求項１】
複数の共通ラインと、複数の駆動ラインと、前記複数の共通ラインと前記複数の駆動ラインとに接続される複数の発光素子と、前記複数の共通ラインに時分割で電圧を印加するソースドライバと、前記複数の共通ラインの電圧印加期間内に前記複数の駆動ラインのうち点灯対象となる発光素子に接続された駆動ラインから電流を引き込むシンクドライバと、を備えた表示装置であって、
前記駆動ラインは、共通ラインの非電圧印加期間のうち、前記シンクドライバにより電流が引き込まれる電圧印加期間の直前の非電圧印加期間内には放電部に接続され、前記シンクドライバにより電流が引き込まれない電圧印加期間の直前の非電圧印加期間内には電圧供給部に接続されることを特徴とする表示装置。
【請求項２】
前記複数の駆動ラインが前記放電部に接続される時間間隔は、各駆動ラインごとに設定されていることを特徴とする請求項１に記載の表示装置。
【請求項３】
前記複数の駆動ラインが前記電圧供給部に接続される時間間隔は、各駆動ラインごとに設定されていることを特徴とする請求項１または２に記載の表示装置。
【発明の詳細な説明】
【技術分野】
【０００１】
本発明は、表示装置に関する。
【背景技術】
【０００２】
ダイナミック点灯制御方式の表示装置が知られている（特許文献１参照）。
【先行技術文献】
【特許文献】
【０００３】
【特許文献１】特開平１１−１６１２３０号公報
【発明の概要】
【発明が解決しようとする課題】
【０００４】
しかしながら、上記従来の表示装置では、発光素子を点灯する場合においては、駆動ラインの寄生容量に起因して、予定していた明るさよりも暗く点灯してしまうという問題があった。また、発光素子を非点灯にする場合においては、駆動ラインの寄生容量に起因して、共通ラインへの電圧印加時に発光素子が意図せずに微少に点灯してしまうという問題があった。
【０００５】
そこで、本発明は、発光素子を所望の明るさで点灯するとともに、発光素子が意図せずに微少に点灯することを抑制可能な表示装置を提供することを目的とする。
【課題を解決するための手段】
【０００６】
本発明によれば、上記課題は、次の手段により解決される。すなわち、複数の共通ラインと、複数の駆動ラインと、前記複数の共通ラインと前記複数の駆動ラインとに接続される複数の発光素子と、前記複数の共通ラインに時分割で電圧を印加するソースドライバと、前記複数の共通ラインの電圧印加期間内に前記複数の駆動ラインのうち点灯対象となる発光素子に接続された駆動ラインから電流を引き込むシンクドライバと、を備えた表示装置であって、前記駆動ラインは、共通ラインの非電圧印加期間のうち、前記シンクドライバにより電流が引き込まれる電圧印加期間の直前の非電圧印加期間内には放電部に接続され、前記シンクドライバにより電流が引き込まれない電圧印加期間の直前の非電圧印加期間内には電圧供給部に接続されることを特徴とする表示装置である。
【図面の簡単な説明】
【０００７】
【図１】本発明の実施形態に係る表示装置の概略回路図である。
【図２】本発明の実施形態に係る表示装置のタイミングチャートである。
【発明を実施するための形態】
【０００８】
以下に、添付した図面を参照しつつ、本発明を実施するための形態について説明する。
【０００９】
図１は、本発明の実施形態に係る表示装置の概略回路図であり、図２は、本発明の実施形態に係る表示装置のタイミングチャートである。
【００１０】
図１、２に示すように、本発明の実施形態に係る表示装置は、複数の共通ライン（ＣＯＭ１〜３）と、複数の駆動ライン（ＳＥＧ１〜３）と、複数の共通ライン（ＣＯＭ１〜３）と複数の駆動ライン（ＳＥＧ１〜３）とに接続される複数の発光素子（ＬＥＤ１〜９）と、複数の共通ライン（ＣＯＭ１〜３）に時分割で電圧を印加するソースドライバと、複数の共通ライン（ＣＯＭ１〜３）の電圧印加期間（Ｘ１、Ｘ２、・・・）内に複数の駆動ライン（ＳＥＧ１〜３）のうち点灯対象となる発光素子に接続された駆動ラインから電流を引き込むシンクドライバと、を備えた表示装置であって、駆動ライン（ＳＥＧ１〜３）は、共通ライン（ＣＯＭ１〜３）の非電圧印加期間（Ｙ１、Ｙ２、・・・）のうち、シンクドライバから電流が引き込まれる電圧印加期間の直前の非電圧印加期間内には放電部（ＧＮＤ）に接続され、シンクドライバにより電流が引き込まれない電圧印加期間の直前の非電圧印加期間内には電圧供給部（Ｖｕｐ）に接続される表示装置である。
【００１１】
以下、順に説明する。
【００１２】
［複数の共通ライン、複数の駆動ライン］
複数の共通ライン（ＣＯＭ１〜３）や複数の駆動ライン（ＳＥＧ１〜３）には、銅箔等を用いる。例えば、プリント配線基板の配線の一部が共通ライン（ＣＯＭ１〜３）及び駆動ライン（ＳＥＧ１〜３）に相当する。
【００１３】
［複数の発光素子］
複数の発光素子には、図１に示したとおり、例えば発光ダイオード（ＬＥＤ１〜９）を用いる。複数の発光素子（ＬＥＤ１〜９）は、複数の共通ライン（ＣＯＭ１〜３）と複数の駆動ライン（ＳＥＧ１〜３）とに接続される。
【００１４】
［ソースドライバ］
ソースドライバには、例えばＰチャネル型ＦＥＴ（Ｆｉｅｌｄ  Ｅｆｆｅｃｔ  Ｔｒａｎｓｉｓｔｏｒ：電界効果トランジスタ）やＩＣチップなどを用いる。ソースドライバは、複数の共通ライン（ＣＯＭ１〜３）に時分割で電圧を印加する。つまり、図２に示すとおり、ソースドライバは、非電圧印加期間（Ｙ１、Ｙ２、・・・）と電圧印加期間（Ｘ１、Ｘ２、・・・）とが交互に繰り返されるように、共通ライン（ＣＯＭ１〜３）に電圧を印加する。
【００１５】
［シンクドライバ］
シンクドライバには、例えばＬＥＤドライバＩＣなどのＩＣチップを用いる。シンクドライバは、複数の共通ライン（ＣＯＭ１〜３）の電圧印加期間（Ｘ１、Ｘ２、・・・）内に複数の駆動ライン（ＳＥＧ１〜３）のうち点灯対象となる発光素子に接続された駆動ラインから電流を引き込む。これにより、共通ライン（ＣＯＭ１〜３）から駆動ライン（ＳＥＧ１〜３）を介して電流が引き込まれ、点灯対象となる発光素子が点灯する。なお、図２中、駆動ライン（ＳＥＧ１〜３）は、電流が引き込まれている間はそのレベルがＬになり、電流が引き込まれていない間はそのレベルがＨになる。
【００１６】
シンクドライバは、クロック信号（ＣＬＫ１〜３）と点灯信号とに基づいて制御され、シンクドライバが、駆動ライン（ＳＥＧ１〜３）から電流を引き込むかどうか、駆動ライン（ＳＥＧ１〜３）から電流を引き込む場合はどの程度の時間電流を引き込むか、また駆動ライン（ＳＥＧ１〜３）から電流を引き込む場合にどの駆動ライン（ＳＥＧ１〜３）から電流を引き込むかは、クロック信号（ＣＬＫ１〜３）と点灯信号とに基づいて決定される。クロック信号と点灯信号とは、ともに、表示装置を制御する装置（図示せず）から出力され、非電圧印加期間（Ｙ１、Ｙ２、・・・）内にシンクドライバに入力される。
【００１７】
クロック信号は、第１クロック信号（ＣＬＫ１）、第２クロック信号（ＣＬＫ２）、及び第３クロック信号（ＣＬＫ３）から構成されており（図２中の破線で囲み拡大して示した部分を参照。）、第１クロック信号（ＣＬＫ１）、第２クロック信号（ＣＬＫ２）、及び第３クロック信号（ＣＬＫ３）は、それぞれ、駆動ライン（ＳＥＧ１）、駆動ライン（ＳＥＧ２）、及び駆動ライン（ＳＥＧ３）に対応している。
【００１８】
シンクドライバは、第１クロック信号（ＣＬＫ１）の立ち上がり時に点灯信号のレベルがＨである場合、非電圧印加期間の直後の電圧印加期間に駆動ライン（ＳＥＧ１）から電流を引き込む。例えば、図２に示したタイミングチャートでは、非電圧印加期間Ｙ１、Ｙ４、Ｙ５、Ｙ７において、第１クロック信号（ＣＬＫ１）の立ち上がり時に点灯信号のレベルがＨであるため、非電圧印加期間Ｙ１、Ｙ４、Ｙ５、Ｙ７の直後の電圧印加期間Ｘ１、Ｘ４、Ｘ５、Ｘ７に、シンクドライバは駆動ライン（ＳＥＧ１）から電流を引き込む。
【００１９】
同様に、シンクドライバは、第２クロック信号（ＣＬＫ２）の立ち上がり時に点灯信号のレベルがＨである場合、非電圧印加期間（Ｙ１、Ｙ２、・・・）の直後の電圧印加期間（Ｘ１、Ｘ２、・・・）に駆動ライン（ＳＥＧ２）から電流を引き込む。例えば、図２に示したタイミングチャートでは、非電圧印加期間Ｙ２、Ｙ４、Ｙ６、Ｙ７において、第２クロック信号（ＣＬＫ２）の立ち上がり時に点灯信号のレベルがＨであるため、非電圧印加期間Ｙ２、Ｙ４、Ｙ６、Ｙ７の直後の電圧印加期間Ｘ２、Ｘ４、Ｘ６、Ｘ７に、シンクドライバは駆動ライン（ＳＥＧ２）から電流を引き込む。
【００２０】
同様に、シンクドライバは、第３クロック信号（ＣＬＫ３）の立ち上がり時に点灯信号のレベルがＨである場合、非電圧印加期間（Ｙ１、Ｙ２、・・・）の直後の電圧印加期間（Ｘ１、Ｘ２、・・・）に駆動ライン（ＳＥＧ３）から電流を引き込む。例えば、図２に示したタイミングチャートでは、非電圧印加期間Ｙ３、Ｙ５、Ｙ６、Ｙ７において、第３クロック信号（ＣＬＫ３）の立ち上がり時に点灯信号のレベルがＨであるため、非電圧印加期間Ｙ３、Ｙ５、Ｙ６、Ｙ７の直後の電圧印加期間Ｘ３、Ｘ５、Ｘ６、Ｘ７に、シンクドライバは駆動ライン（ＳＥＧ３）から電流を引き込む。
【００２１】
なお、シンクドライバは、第１クロック信号（ＣＬＫ１）の立ち上がり時、第２クロック信号（ＣＬＫ２）の立ち上がり時、第３クロック信号（ＣＬＫ３）の立ち上がり時に点灯信号のレベルがＬである場合、非電圧印加期間（Ｙ１、Ｙ２、・・・）の直後の電圧印加期間（Ｘ１、Ｘ２、・・・）において、各クロック信号に対応する駆動ライン（ＳＥＧ１〜３）から電流を引き込まない。例えば、図２に示したタイミングチャートでは、非電圧印加期間Ｙ８では、第１クロック信号（ＣＬＫ１）の立ち上がり時、第２クロック信号（ＣＬＫ２）の立ち上がり時、及び第３クロック信号（ＣＬＫ３）の立ち上がり時のいずれにおいても点灯信号のレベルがＬであるため、非電圧印加期間Ｙ８の直後の電圧印加期間Ｘ８において、シンクドライバはいずれの駆動ライン（ＳＥＧ１〜３）からも電流を引き込まない。
【００２２】
［第１スイッチ部］
第１スイッチ部（ＳＷ１１〜１３）には、例えばＮチャネル型ＦＥＴを用いる。第１スイッチ部（ＳＷ１１〜１３）は、スイッチ制御部から出力される信号（信号１１、信号１２、信号１３）がＨレベルである場合に閉じ、Ｌレベルである場合に開く。したがって、各駆動ライン（ＳＥＧ１〜３）は、スイッチ制御部から出力される信号（信号１１、信号１２、信号１３）がＨレベルである場合に放電部（ＧＮＤ）に接続される。第１スイッチ部（ＳＷ１１〜１３）により、各駆動ライン（ＳＥＧ１〜３）は、共通ライン（ＣＯＭ１〜３）の非電圧印加期間（Ｙ１、Ｙ２、・・・）のうち、シンクドライバから電流が引き込まれる電圧印加期間の直前の非電圧印加期間内には放電部（ＧＮＤ）に接続され、複数の駆動ライン（ＳＥＧ１〜２）の寄生容量（Ｃ１〜３）が放電される。放電は、寄生容量（Ｃ１〜３）の一部を放電するものであってもよいし、全部を放電するものであってもよい。
【００２３】
［第２スイッチ部］
第２スイッチ部（ＳＷ２１〜２３）には、例えばＰチャネル型ＦＥＴを用いる。第２スイッチ部（ＳＷ２１〜２３）は、スイッチ制御部から出力される信号（信号２１、信号２２、信号２３）がＨレベルである場合に開き、Ｌレベルである場合に閉じる。したがって、各駆動ライン（ＳＥＧ１〜３）は、スイッチ制御部から出力される信号（信号１１、信号１２、信号１３）がＬレベルである場合に電圧供給部（Ｖｕｐ）に接続される。第２スイッチ部（ＳＷ２１〜２３）により、各駆動ライン（ＳＥＧ１〜３）は、共通ライン（ＣＯＭ１〜３）の非電圧印加期間（Ｙ１、Ｙ２、・・・）のうち、シンクドライバにより電流が引き込まれない電圧印加期間の直前の非電圧印加期間内には電圧供給部（Ｖｕｐ）に接続され、複数の駆動ライン（ＳＥＧ１〜３）の寄生容量（Ｃ１〜３）が充電される。充電は、寄生容量（Ｃ１〜３）の一部を充電するものであってもよいし、全部を充電するものであってもよい。
【００２４】
［スイッチ制御部］
スイッチ制御部には、例えばＦＰＧＡ（Ｆｉｅｌｄ  Ｐｒｏｇｒａｍｍａｂｌｅ  Ｇａｔｅ  Ａｒｒａｙ）などのＩＣチップを用いる。スイッチ制御部は、非電圧印加期間（Ｙ１、Ｙ２、・・・）内に入力されたクロック信号（ＣＬＫ１〜３）と点灯信号とに基づいて、第１スイッチ部（ＳＷ１１〜１３）及び第２スイッチ部（ＳＷ２１〜２３）を制御する。
【００２５】
すなわち、スイッチ制御部は、第１クロック信号（ＣＬＫ１）の立ち上がり時に点灯信号のレベルがＨである場合、信号１１を出力し、第１スイッチ部（Ｓ１１）を閉じて駆動ライン（ＳＥＧ１）を放電部（ＧＮＤ）に接続する。これにより、駆動ライン（ＳＥＧ１）の寄生容量（Ｃ１）は、シンクドライバにより電流が引き込まれる電圧印加期間の直前の非電圧印加期間内に放電される。例えば、図２に示したタイミングチャートでは、非電圧印加期間Ｙ１、Ｙ４、Ｙ５、Ｙ７において、第１クロック信号（ＣＬＫ１）の立ち上がり時に点灯信号のレベルがＨであるため、非電圧印加期間Ｙ１、Ｙ４、Ｙ５、Ｙ７内（シンクドライバにより駆動ライン（ＳＥＧ１）から電流が引き込まれる電圧印加期間Ｘ１、Ｘ４、Ｘ５、Ｘ７の直前の非電圧印加期間内）に、第１スイッチ部（Ｓ１１）が閉じられ、駆動ライン（ＳＥＧ１）が放電部（ＧＮＤ）に接続されて、駆動ライン（ＳＥＧ１）の寄生容量（Ｃ１）が放電される。
【００２６】
同様に、スイッチ制御部は、第２クロック信号（ＣＬＫ２）の立ち上がり時に点灯信号のレベルがＨである場合、信号１２を出力し、第１スイッチ部（Ｓ１２）を閉じて駆動ライン（ＳＥＧ２）を放電部（ＧＮＤ）に接続する。これにより、駆動ライン（ＳＥＧ２）の寄生容量（Ｃ２）は、シンクドライバにより電流が引き込まれる電圧印加期間の直前の非電圧印加期間に放電される。例えば、図２に示したタイミングチャートでは、非電圧印加期間Ｙ２、Ｙ４、Ｙ６、Ｙ７において、第２クロック信号（ＣＬＫ２）の立ち上がり時に点灯信号のレベルがＨであるため、非電圧印加期間Ｙ２、Ｙ４、Ｙ６、Ｙ７内（シンクドライバにより駆動ライン（ＳＥＧ２）から電流が引き込まれる電圧印加期間Ｘ２、Ｘ４、Ｘ６、Ｘ７の直前の非電圧印加期間内）に、第１スイッチ部（Ｓ１２）が閉じられ、駆動ライン（ＳＥＧ２）が放電部（ＧＮＤ）に接続されて、駆動ライン（ＳＥＧ２）の寄生容量（Ｃ２）が放電される。
【００２７】
また、同様に、スイッチ制御部は、第３クロック信号（ＣＬＫ３）の立ち上がり時に点灯信号のレベルがＨである場合、信号１３を出力し、第１スイッチ部（Ｓ１３）を閉じて駆動ライン（ＳＥＧ３）を放電部（ＧＮＤ）に接続する。これにより、駆動ライン（ＳＥＧ３）の寄生容量（Ｃ３）は、シンクドライバにより電流が引き込まれる電圧印加期間の直前の非電圧印加期間に放電される。例えば、図２に示したタイミングチャートでは、非電圧印加期間Ｙ３、Ｙ５、Ｙ６、Ｙ７において、第３クロック信号（ＣＬＫ３）の立ち上がり時に点灯信号のレベルがＨであるため、非電圧印加期間Ｙ３、Ｙ５、Ｙ６、Ｙ７内（シンクドライバにより駆動ライン（ＳＥＧ３）から電流が引き込まれる電圧印加期間Ｘ３、Ｘ５、Ｘ６、Ｘ７の直前の非電圧印加期間内）に、第１スイッチ部（Ｓ１３）が閉じられ、駆動ライン（ＳＥＧ３）が放電部（ＧＮＤ）に接続されて、駆動ライン（ＳＥＧ３）の寄生容量（Ｃ３）が放電される。
【００２８】
他方、スイッチ制御部は、第１クロック信号（ＣＬＫ１）の立ち上がり時に点灯信号のレベルがＬである場合、信号２１を出力し、第２スイッチ部（Ｓ２１）を閉じて駆動ライン（ＳＥＧ１）を電圧供給部（Ｖｕｐ）に接続する。これにより、駆動ライン（ＳＥＧ１）の寄生容量（Ｃ１）は、シンクドライバにより電流が引き込まれない電圧印加期間の直前の非電圧印加期間に充電される。例えば、図２に示したタイミングチャートでは、非電圧印加期間Ｙ２、Ｙ３、Ｙ６、Ｙ８において、第１クロック信号（ＣＬＫ１）の立ち上がり時に点灯信号のレベルがＬであるため、非電圧印加期間Ｙ２、Ｙ３、Ｙ６、Ｙ８内（シンクドライバにより駆動ライン（ＳＥＧ１）から電流が引き込まれない電圧印加期間Ｘ２、Ｘ３、Ｘ６、Ｘ８の直前の非電圧印加期間内）に、第２スイッチ部（Ｓ２１）が閉じられ、駆動ライン（ＳＥＧ１）が電圧供給部（Ｖｕｐ）に接続されて、駆動ライン（ＳＥＧ１）の寄生容量（Ｃ１）が充電される。
【００２９】
同様に、スイッチ制御部は、第２クロック信号（ＣＬＫ２）の立ち上がり時に点灯信号のレベルがＬである場合、信号２２を出力し、第１スイッチ部（Ｓ２２）を閉じて駆動ライン（ＳＥＧ２）を電圧供給部（Ｖｕｐ）に接続する。これにより、駆動ライン（ＳＥＧ２）の寄生容量（Ｃ２）は、シンクドライバにより電流が引き込まれない電圧印加期間の直前の非電圧印加期間に充電される。例えば、図２に示したタイミングチャートでは、非電圧印加期間Ｙ１、Ｙ３、Ｙ５、Ｙ８において、第２クロック信号（ＣＬＫ２）の立ち上がり時に点灯信号のレベルがＬであるため、非電圧印加期間Ｙ１、Ｙ３、Ｙ５、Ｙ８内（シンクドライバにより駆動ライン（ＳＥＧ２）から電流が引き込まれない電圧印加期間Ｘ１、Ｘ３、Ｘ５、Ｘ８の直前の非電圧印加期間内）に、第２スイッチ部（Ｓ２２）が閉じられ、駆動ライン（ＳＥＧ２）が電圧供給部（Ｖｕｐ）に接続されて、駆動ライン（ＳＥＧ２）の寄生容量（Ｃ２）が充電される。
【００３０】
同様に、スイッチ制御部は、第３クロック信号（ＣＬＫ３）の立ち上がり時に点灯信号のレベルがＬである場合、信号２３を出力し、第２スイッチ部（Ｓ２３）を閉じて駆動ライン（ＳＥＧ３）を電圧供給部（Ｖｕｐ）に接続する。これにより、駆動ライン（ＳＥＧ３）の寄生容量（Ｃ３）は、シンクドライバにより電流が引き込まれない電圧印加期間の直前の非電圧印加期間に充電される。例えば、図２に示したタイミングチャートでは、非電圧印加期間Ｙ１、Ｙ２、Ｙ４、Ｙ８において、第３クロック信号（ＣＬＫ３）の立ち上がり時に点灯信号のレベルがＬであるため、非電圧印加期間Ｙ１、Ｙ２、Ｙ４、Ｙ８内（シンクドライバにより駆動ライン（ＳＥＧ３）から電流が引き込まれない電圧印加期間Ｘ１、Ｘ２、Ｘ４、Ｘ８の直前の非電圧印加期間内）に、第２スイッチ部（Ｓ２３）が閉じられ、駆動ライン（ＳＥＧ３）が電圧供給部（Ｖｕｐ）に接続されて、駆動ライン（ＳＥＧ３）の寄生容量（Ｃ３）が充電される。
【００３１】
以上説明した本発明の実施形態に係る表示装置によれば、各駆動ライン（ＳＥＧ１〜３）は、共通ライン（ＣＯＭ１〜３）の非電圧印加期間（Ｙ１、Ｙ２、・・・）のうち、シンクドライバから電流が引き込まれる電圧印加期間の直前の非電圧印加期間内には放電部（ＧＮＤ）に接続され、シンクドライバにより電流が引き込まれない電圧印加期間の直前の非電圧印加期間内には電圧供給部（Ｖｕｐ）に接続されるため、各駆動ライン（ＳＥＧ１〜３）は、その寄生容量（Ｃ１〜３）が、発光素子を点灯させる前には放電され、発光素子を点灯させない場合には充電される。
【００３２】
したがって、本発明の実施形態に係る表示装置によれば、発光素子を点灯させる場合においては、駆動ラインの寄生容量が小さくなる（あるいは０）になり、共通ラインから十分な大きさの電流を引き込み易くなる。よって、所望の明るさで発光素子を点灯させることができる。
【００３３】
また、本発明の実施形態に係る表示装置によれば、発光素子を非点灯にする場合においては、共通ラインと駆動ラインとの電位差が小さくなり、共通ラインの寄生容量が駆動ラインに引き込まれ難くなる。よって、共通ラインへの電圧印加時に発光素子が微少に点灯してしまうことが抑制される。
【００３４】
つまり、本発明の実施形態に係る表示装置によれば、共通ラインへの電圧印加時において、発光素子を所望の明るさで点灯させることができる一方で、意図せずに発光素子が微少に点灯してしまうことを抑制することができる。
【００３５】
なお、複数の駆動ライン（ＳＥＧ１〜３）が放電部（ＧＮＤ）に接続される時間間隔は、複数の駆動ライン（ＳＥＧ１〜３）に対して同じ値が設定されていてもよい。しかしながら、図２に示す例のように、この時間間隔は、各駆動ラインごとに設定されていることが好ましい。このようにすれば、各駆動ラインの寄生容量を各駆動ラインの寄生容量の大きさに応じて適度に放電して、各駆動ラインに均一の電流を流すことが可能になるため、複数の発光素子（ＬＥＤ１〜９）を所望の明るさで均一に点灯させることができるようになる。
【００３６】
なお、図２では、信号１１、１２、１３のＨレベル期間を変えることにより、複数の駆動ライン（ＳＥＧ１〜３）が放電部（ＧＮＤ）に接続される時間間隔を各駆動ラインごとに設定している。具体的には、信号１１のＨレベル期間＞信号１２のＨレベル期間＞信号１３のＨレベル期間であるため、各駆動ライン（ＳＥＧ１〜３）が放電部（ＧＮＤ）に接続される時間間隔は、駆動ライン（ＳＥＧ１）＞駆動ライン（ＳＥＧ２）＞駆動ライン（ＳＥＧ３）の順になる。
【００３７】
また、複数の駆動ライン（ＳＥＧ１〜３）が電圧供給部（Ｖｕｐ）に対して接続される時間間隔は、複数の駆動ライン（ＳＥＧ１〜３）に対して同じ値が設定されていてもよい。しかしながら、図２に示す例のように、この時間間隔は、各駆動ラインごとに設定されていることが好ましい。このようにすれば、各駆動ラインの寄生容量を各駆動ラインの寄生容量の大きさに応じて適度に充電して、各共通ラインから各駆動ラインへのリーク電流をより確実に小さくすることが可能になるため、共通ラインへの電圧印加時に発光素子が微少に点灯してしまうことをより確実に抑制できるようになる。
【００３８】
なお、図２では、信号２１、２２、２３のＬレベル期間を変えることにより、複数の駆動ライン（ＳＥＧ１〜３）が電圧供給部（Ｖｕｐ）に接続される時間間隔を各駆動ラインごとに設定している。具体的には、信号２１のＬレベル期間＞信号２２のＬレベル期間＞信号２３のＬレベル期間であるため、各駆動ライン（ＳＥＧ１〜３）が電圧供給部（Ｖｕｐ）に接続される時間間隔は、駆動ライン（ＳＥＧ１）＞駆動ライン（ＳＥＧ２）＞駆動ライン（ＳＥＧ３）の順になる。
【００３９】
以上、本発明の実施形態について説明したが、これらの説明は、本発明の一例に関するものであり、本発明は、これらの説明によって何ら限定されるものではない。一例を挙げると、例えば、複数の共通ライン（ＣＯＭ１〜３）や複数の駆動ライン（ＳＥＧ１〜３）の本数、複数の発光素子（ＬＥＤ１〜９）の個数、第１スイッチ部（ＳＷ１１〜１３）や第２スイッチ部（ＳＷ２１〜２３）の個数などは、本発明を何ら限定するものではない。
【符号の説明】
【００４０】
ＣＯＭ１〜３      共通ライン
ＳＥＧ１〜３      駆動ライン
ＬＥＤ１〜９      発光素子
ＳＷ１１〜１３    第１スイッチ部
ＳＷ２１〜２３    第２スイッチ部
Ｃ１〜Ｃ３        寄生容量
ＧＮＤ            放電部
Ｖｕｐ            電圧供給部
Ｘ１〜８          電圧印加期間
Ｙ１〜８          非電圧印加期間
【図１】
2014235305.tif 000003
【図２】
2014235305.tif 000004